(57)【要約】【課題】  給紙部に紙がなくなった時点で自動的に別の急支部に切り換える場合に、ユーザに負荷を与えずに切り換える。【解決手段】  複数の給紙部がある印刷装置において、給紙部は自動で切り換える際に条件を設け、その条件以外の内容の設定値は上書きする。【選択図】  図７
2006062834.tif 000002
【特許請求の範囲】
【請求項１】
画像処理装置は
設定値の表示を行う表示手段と、
設定を行う操作手段と、
印刷を行う印刷手段と、
印刷のための給紙を行う複数の給紙手段と、
複数の給紙手段のどこから給紙を行うかの設定が可能な給紙手段選択手段と、
複数の給紙手段に対して印刷の属性値を各々給紙手段毎に設定できる給紙部属性値設定手段と、
印刷中に給紙部から給紙できなくなった場合に、他の給紙部への切換を自動的に行うことができる給紙設定自動切換手段を有し、
前記給紙切替自動設定切換手段を設定し、前記印刷手段により印刷を行っている際に、
現在の設定された給紙部から給紙できなくなった際に、給紙部を切り換えるかどうかを前記給紙部属性値の値の必要なものだけから判断し、給紙切換を行う。その際に、前記給紙部属性値の中で切換条件に必要なもの以外の値は、切換前の給紙部の値を切換後の給紙部に設定することで、自動的に給紙が切り替わった場合も同じ設定で印刷を続ける事ができる事を特徴とする画像処理装置。
【請求項２】
前記給紙部の自動切換えの際に、条件を設けて条件によって給紙切換を行うかどうか判別を行う請求項１の画像処理装置。
【発明の詳細な説明】
【技術分野】
【０００１】
本発明は、画像処理装置の給紙方法に関するものである。
【背景技術】
【０００２】
従来、複写機などの印刷装置において印刷ジョブにはジョブに対して印刷の設定値を持たせていた。特に用紙サイズやその他の属性値に関してはジョブに対して設定を行っていた。そして、印刷時の給紙部を選択するときはジョブに対してその給紙部が対応しているかの判断を行っていた。そしてジョブを行う時にその条件を比較し、給紙を自動的に変更して給紙部を選択するものがあった（特許文献１参照）。また、印刷ジョブが発生した時に手差し給紙部と印刷ジョブが一致しない場合には手差し給紙から印刷しないように防いでいたりした（特許文献２参照）。つまり、印刷のジョブに対して印刷の属性値を持たせて、それに対する給紙部を選択する方法であった。
【０００３】
しかし、コストダウンを行った装置の場合、コスト低減のため給紙部に各種センサをつけるのは難しいため、給紙された紙の内容を給紙部が知ることができない。そのため、装置としてユーザが給紙部に対して設定する必要がある。特にインクジェットを用いた複合機で複数の給紙部を持つ場合、インクジェットエンジンは様々な紙種に対して印刷が可能なため、給紙対象として幅広い紙種類が想定され、給紙部に対して様々な属性値を持たせる必要がある。そのため、複数の給紙部を持つインクジェット複合機においては、給紙部毎に紙サイズ、紙種類、印刷品位などの属性値を設定させなくてはならない。給紙部に様々な種類の紙が積載されても、正しい設定をユーザが行うことで、複雑な給紙の情報を処理する事ができる。
【０００４】
一方、印刷中に給紙部において紙がなくなった場合に、自動的に給紙部を切り換える事でユーザは一つの給紙部に紙がなくなった場合でも、他の給紙部から印刷を行うことができる。この機能は単純且つ便利なものである。しかし、自動的に給紙ビンを切り替えた際に、切り換えた後の給紙部の設定とジョブの設定値との不整合が生じる場合がある。特に給紙部の設定が装置側で認識できず、設定のみを行っているような装置においては、印刷ジョブに関してはジョブに設定されている属性値と切り替わった給紙部の属性値との矛盾が生じる事がある。例を挙げると、Ａ４サイズ、普通紙、印刷品位はやい、で印刷している時に、給紙部を切り換えた場合に、Ａ４サイズ、普通紙、印刷品位キレイ、に設定されている給紙部に切り換えようとしたら、印刷品位が異なるため、印刷内容は切換前のまま行いたいのだが、給紙部は切り替え後の印刷品位になっているため、矛盾が生じて正しく動作ができない、という状態になっていた。
【０００５】
そのため、給紙切り換える際には給紙部の設定値を各々正しいものに切り換えてから給紙切換をユーザが行わなくてはならなかったため、ユーザにとってユーザビリティが低い状態になってしまっていた。
【特許文献１】特許３３６５９８８
【特許文献２】特開２０００−１３７４１５
【発明の開示】
【発明が解決しようとする課題】
【０００６】
そこで、本発明の目的は複数の給紙部がある印刷装置において、給紙部毎に給紙設定が保持されている場合を考える。その際に給紙部に紙がなくなった時点で自動的に別の給紙部に切り換える場合において、給紙の設定値をうまく処理することで、自動的に給紙を切り換える場合に、ユーザに負荷を与えずに切り換えを行わせる事を目的とする。
【課題を解決するための手段】
【０００７】
本件では、複数の給紙部がある印刷装置において、給紙部は自動で切り替わった際は、まず切り換え時に、条件を設ける。そして、自動的に給紙を切り換える際に、条件以外の内容の設定値は上書きする。これにより、給紙切り換え後も給紙切り換え前と同等の印刷手法を用いる事ができるため、簡単に自動的に給紙部を切り換える事ができる。こうする事で、切り換えの際の最低限の条件が整っていれば、自動的に給紙を切り換える場合に、ユーザに負荷を与えずに切り換えを行わせる事ができる。
【発明の効果】
【０００８】
本発明の効果は、複数の給紙部がある印刷装置において、給紙部毎に給紙設定が保持されている場合を考える。その際に給紙部に紙がなくなった時点で自動的に別の給紙部に切り換える場合において、給紙の設定値をうまく処理することで、自動的に給紙を切り換える場合に、ユーザに負荷を与えずに切り換えを行わせる事ができる事が効果とみなせる。
【発明を実施するための最良の形態】
【０００９】
設定値の表示を行う表示手段と、設定を行う操作手段と、印刷を行う印刷手段と、印刷のための給紙を行う複数の給紙手段と、複数の給紙手段のどこから給紙を行うかの設定が可能な給紙手段選択手段と、複数の給紙手段に対して印刷の属性値を各々給紙手段毎に設定できる給紙部属性値設定手段と、印刷中に給紙部から給紙できなくなった場合に、他の給紙部への切換を自動的に行うことができる給紙設定自動切換手段を持つ画像処理装置。
【実施例１】
【００１０】
まず、画像処理システムを構成する画像処理装置１００の概略を詳細に説明する。
【００１１】
図１は、本発明の実施例である画像処理システムを構成する画像処理装置１００の概略構成を示すブロック図である。
【００１２】
画像処理装置１００において、ＣＰＵ１０１は、システム制御部であり、画像処理装置１００の全体を制御する。
【００１３】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１４】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００１５】
画像メモリ１０４は、ＤＲＡＭ（ｄｙｎａｍｉｃ  ＲＡＭ）等で構成され、画像データを蓄積する。
【００１６】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１７】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００１８】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。
【００１９】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００２０】
解像度変換処理部１１０は、画像データのミリ−インチ解像度変換等の解像度変換制御を行う。なお、解像度変換部１１０において、画像データの拡大縮小処理も可能である。
【００２１】
符号復号化処理部１１１は、画像処理装置１００で扱う画像データ（ＭＨ、ＭＲ、ＭＭＲ、ＪＢＩＧ、ＪＰＥＧ等）を符号復号化処理や、拡大縮小処理を行う。
記録制御部１１２は、印刷される画像データに対し、図示しない画像処理制御部を介して、スムージング処理や記録濃度補正処理、色補正等の各種画像処理を施し、高精細な画像データに変換し、記録部１１３（後述）に出力する。また、記録部１１３を制御することにより、定期的に記録部１１３の状態情報を取得する役割も果たす。
【００２２】
記録部１１３は、レーザビームプリンタやインクジェットプリンタ等からなる印刷装置であり、カラー画像データ、またはモノクロ画像データを印刷部材に印刷する。
【００２３】
給紙部１１４は印刷のための用紙を保持する事ができる部位である。記録制御部１１２からの制御で給紙部１１４から給紙を行うことができる。特に給紙部は複数種類の用紙を一つの装置に保持するために、複数の給紙部を用意する事ができる。そして記録制御部１１２により、どの給紙部から給紙を行うかの制御を行うことができる。
【００２４】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行ったり、逆に、外部の情報処理端末からのＵＳＢパケットを、データに変換してＣＰＵ１０１に対し送信を行ったりする。
【００２５】
データ蓄積部１１６はデータを蓄積するための部位である。画像メモリ１０４でのＤＲＡＭではデータバックアップ用の領域を用意していないため、本実施例ではデータ蓄積部としてデータ保存領域を用意している。画像メモリ１０４と共有する場合もある。データ蓄積部１１６にデータのバックアップなどを行う事が出来る。本実施例ではＤＲＡＭを用いているが、ハードディスクや揮発性メモリ等を使用する場合もなるのでこの限りではない。
【００２６】
ＵＳＢホスト制御部１１７は、ＵＳＢ通信規格で定められたプロトコルで通信を行う為の制御部である。ＵＳＢ通信規格は、双方向のデータ通信を高速に行うことが出来る規格であり、１台のホスト（マスター）に対し、複数のハブまたはファンクション（スレーブ）を接続することが出来る。
【００２７】
メモリカード１１８はデータ記憶媒体であり、画像処理装置１００に接続する事が出来る。本実施例ではＵＳＢホスト制御部１１７とインタフェースで接続されているが、この限りではない。メモリカードには画像のデータやその他電子データはＵＳＢホスト制御部１１７を通じてメモリカード内のデータにアクセスする事が出来る。
【００２８】
本実施例においては、記録機能のＵＳＢ通信は１対１の接続形態を用いる。
上記構成要素１０１〜１０６、１０８〜１１４は、ＣＰＵ１０１が管理するＣＰＵバス１２１を介して、相互に接続されている。
【００２９】
図２は画像処理装置１００の操作部１０８の具体例を示す一実施例である。
【００３０】
操作部１０８はＬＣＤ２０１と、電源キー２０２と、コピーモードキー２０３と、フィルムモードキー２０４と、スキャンモードキー２０５と、フォトモードキー２０６と、メニューキー２０７と、戻るキー２０８と、フォトインデックスシートキー２０９と、マイナスキー２１０と、プラスキー２１１と、セットキー２１２と、スライドショーキー２１３と、用紙設定キー２１４と、フィーダーセレクトキー２１５と、ＳＴＯＰキー２１６と、モノクロスタートキー２１７と、カラースタートキー２１８を有する。
【００３１】
ＬＣＤディスプレイ２０１は、メッセージやオペレーションプロンプト、各種情報を表示するディスプレイである。
【００３２】
電源キー２０２は装置の電源をＯＮ／ＯＦＦするためのキーである。
【００３３】
コピーモードキー２０３は画像処理装置１００をコピーが出来る状態にするためのキーである。コピーモードキー２０３を押下することで装置をコピーモードにすることができる。
【００３４】
フィルムモードキー２０４は画像処理装置１００をフィルムからの印刷が出来る状態にするためのキーである。フィルムモードキー２０４を押下することで装置をファックスモードにすることができる。
【００３５】
スキャンモードキー２０５は画像処理装置１００をスキャンが出来る状態にするためのキーである。スキャンモードキー２０５を押下することで装置をファックスモードにすることができる。
【００３６】
フォトモードキー２０６は画像処理装置１００をデジタル写真のカードやカメラからのダイレクト印刷が出来る状態にするためのキーである。フォトモードキー２０６を押下することで装置をフォトモードにすることができる。
【００３７】
メニューキー２０７はコピーやファックス、カードからのダイレクト印刷などの実行時の設定値を設定する項目を表示するためのキーである。メニューキー２０７を押下する事で実行用の設定項目をＬＣＤ２０１に表示する事が出来、プラスキー２１１やマイナスキー２１０などで選択し、セットキー２１２でセットすることが出来る。
【００３８】
戻る設定キー２０８はユーザが装置に設定する設定値を登録する際に、操作を戻すために使用するキーである。
【００３９】
フォトインデックスシートキー２０９はフォトインデックスシートを印刷もしくは読取を行うための画面に移行することの出来るキーである。画像処理装置１００にメモリカード１１８が挿入された状態においてこのキーが押下されたら、フォトインデックスシートの印刷、もしくは読取を指示できる画面に移行する。プラスキー２１１やマイナスキー２１０などで読取が印刷かを選択し、セットキー２１２でセットすることが出来る。なお、フォトインデックスシートについては、図３で詳細を説明する。
【００４０】
マイナスキー２１０、プラスキー２１１はメニューやユーザ登録など、ユーザが複数の選択肢から選択を行う際に使用されるキーである。マイナス、プラスはそれぞれ逆順、正順である。
【００４１】
セットキー２１２は選択された項目に対して決定を行うキーである。
【００４２】
スライドショーキー２１３は表示を用いてメモリカード１１８の画像を表示部１０８に順に表示していく仕様である。
【００４３】
用紙設定キー２１４は、押すことによって、コピーやその他印刷の設定の用紙設定を行うキーである。
【００４４】
フィーダーセレクトキー２１５は給紙部１１４の給紙部が複数の給紙部位を持つ際に、使用する給紙部に切り換えを行う際に使用するキーである。
【００４５】
ＳＴＯＰキー２１６はファクシミリ送受信、コピーやその他のオペレーション操作を停止させるキーである。
【００４６】
モノクロスタートキー２１７は白黒ファクシミリ送信、白黒コピーなどを開始するキーである。
【００４７】
カラースタートキー２１８をカラーファクシミリ送信、カラーコピーを、カラー写真印刷などを開始するキーである。
【００４８】
図３は画像処理装置１００においてコピーサイズ、紙種類、印刷品位を設定の一実施例である。
【００４９】
（ａ）は通常コピーの設定値の例を示している。サイズ情報に基づいて、紙種類や印刷品位などの制限をかけている。例を挙げるとはがきサイズに対しては紙種類が普通紙の他はインクジェット・フォトの二つとなる。また、紙種類が光沢紙の場合は、印刷品位がキレイのみとなる。このように、設定するサイズ、紙種類、印刷品位は値により設定を制限している。
【００５０】
（ｂ）はコピーの応用モードでの設定の一例である。
【００５１】
“シール”に設定した場合、サイズはシールに設定される。そして紙種類は光沢紙に設定され、印刷品位はキレイに設定される。“両面”・“ふちなし”はサイズがＡ４かＬＴＲに限定される。更に両面は普通紙に限定される。また応用モードにおいても“リピート”は通常コピーと同等の設定が可能となる。このように応用モードを設定した際はコピーの属性値を制限して設定しなくてはいけない状態になる。
【００５２】
なお、ここでのコピー設定値は１実施例例であるため、印刷の属性を決めるための値ならばこれに限定するものではない。
【００５３】
図４は給紙切り換えの１実施例である。
【００５４】
図には前カセットと背面フィーダーの二つの給紙部がある場合に、二つの給紙部に各々設定がされている様子を示している。本実施例では前カセットと背面フィーダーで紙サイズ、紙種類、印刷品位を各々設定されている。（１）に具体的に示している。前カセットには「Ａ４・普通紙・はやい」が設定されており、背面フィーダーには「Ａ４・普通紙・キレイ」が設定されている。次に通常の給紙切り換えの動作を示す。給紙切り換えは給紙切り換えキー２１５によって給紙の切り換えを行うことができる。給紙の切り換えが行われた場合も、給紙部の各々の設定は変更を行わない。これが（２）に示されている。次に（２）の状態から印刷を開始し、背面フィーダーにおいて紙がなくなったことで、自動連続給紙機能を用いて、給紙を背面フィーダーから前カセットに切り換えた。この状態の例は（３）である。これは自動連続給紙時に切り換える給紙部に対して、紙サイズと紙種類が自動連続給紙の条件を満たしていたため、休止が切り替わった場合の例である。矛盾が生じるためにユーザが設定して変えたものである。この詳細のフローは後述の図５〜７などにて示す。
【００５５】
図５は自動連続給紙の設定の１実施例である。
【００５６】
これは装置１００において自動連続給紙機能を設定する１実施例である。本機能は複数の給紙部を持つ装置において、設定されている給紙部に紙がなくなった際に自動的に他の給紙部に設定を変更して、印刷を中止せずに続ける機能である。本実施例では、給紙部自動切換設定をアクティブにする事で、自動連続給紙の機能を実現する。
【００５７】
まずステップ５０１において、給紙切換の設定を行うかどうかを判別する。もし設定が行われなければ、行われるまでステップ５０１で確認を行う。ステップ５０１で設定がされた場合は、次にステップ５０２において給紙切り換えの給紙部自動切り換えを設定するかの判別を行う。もしステップ５０２において設定しないと選択されたらステップ５０３において給紙部自動切換の設定を解除する。もしステップ５０３において設定すると選択されたら給紙部自動切換を設定する。このようにして、自動連続給紙機能を行うための、給紙部自動切換の設定を行うことができる。
【００５８】
なお、ここでは給紙切り換え時に給紙部を二つに限定して給紙切り換えを行っているが、給紙部が複数あり、切り換えできる場合にはこの限りではない。
【００５９】
次に図６にて印刷、給紙動作の１実施例を示す。
【００６０】
ここでは図５において設定された給紙部自動切換が設定されている場合に、印刷中に自動連続給紙機能がどのように行なわれるかを実施例として示す。
【００６１】
まず、自動連続給紙の機能は印刷中に行なわれるため、ステップ６０１では印刷中である。次にステップ６０２において、現在の給紙部の紙がなくなったかどうかの判別を行う。もし紙がなくなっていない場合は引き続きステップ６０１において印刷を行う。もしステップ６０２において紙がなくなった場合は次にステップ６０３において給紙部自動切換えが設定されているかの判別を行う。もしステップ６０３において給紙部自動切換が設定されていなければ次にステップ６０５において紙無しエラーと判断する。そして次にステップ６０７において印刷の中止する。このようにして給紙部自動切換が設定されていなければ、給紙部に紙がなくなった時に印刷を中止する。一方、ステップ６０３において給紙部自動切換が設定されていたら、次にステップ６０４において自動連続給紙の機能により、自動的に給紙切換を行う。なお、詳細については図７で示す。ステップ６０４においては、給紙切換を行い、ステップ６０１に戻り印刷を再び続ける１のルートか、給紙切換せずに紙無しエラーとして処理するステップ６０５への移行の二つの動きとなる。
【００６２】
なお、本実施例では給紙部の紙がなくなった時に給紙部の切換を行うように実施しているが、給紙部が給紙できなくなり、他の給紙部側に切り換える事で印刷を続ける事ができる場合はこれに限らない。またその際に出るエラーとしても紙無しエラーになるとも限らない。
【００６３】
図７は自動連続給紙の機能の１実施例を示す。
【００６４】
ここでは図６で示した自動連続給紙の機能を詳細に示す。
【００６５】
まずステップ７０１において現在設定されている給紙部と、切換後の給紙部の設定がそれぞれ同じ設定で、且つＡ４もしくはＬＴＲであるかの判別を行う。もしステップ７０１において条件を満たせない場合は２に移行する。２は図６の２につながり、切換ができずに紙無しエラーとなる。ステップ７０１の条件を満たす事ができれば、次にステップ７０２において、現在の給紙部と切換後の給紙部の設定において普通紙のかどうかの判別を行う。もし普通紙で無いならばステップ７０１と同様に２に移行して、紙無しエラーになる。ステップ７０２で普通紙と判別されたら次にステップ７０３にて給紙部に切換を行う。本実施例ではステップ７０１と７０２の条件が、自動連続給紙の条件になっている。そしてステップ７０３において給紙部の切換を行う。そして次にステップ７０４において切り換えた給紙部の解像度設定を、切換前の解像度に変更を行う。これは既に図４で説明した切換時の解像度の変更を意味する。例を挙げると図４では背面フィーダーに設定されている場合に、自動給紙切換を行った場合は、それぞれがＡ４普通紙に設定されているので給紙は切り替わり、そして印刷品位は印刷していたキレイがそのまま前カセットの印刷品位に上書きされ設定される。このようにして給紙を自動的に切換、給紙を連続的に行う機能を実現できる。
【００６６】
なおここでは切換の条件としてＡ４，普通紙を条件としたが、給紙部が同じ設定であるものであれば、この限りではない。ここでは給紙切り換え時に給紙部を二つに限定して給紙切り換えを行っているが、給紙部が複数あり、切り換えできる場合にはこの限りではない。
【００６７】
以上説明した方法により、複数の給紙部がある印刷装置にて、給紙部毎に給紙設定が保持されている場合において、給紙部に紙がなくなった時点で自動的に別の給紙部に切り換える場合において、給紙の設定値をうまく処理することで、自動的に給紙を切り換える場合に、ユーザに負荷を与えずに切り換えを行わせる事ができた。
【００６８】
本実施例でのコピーの応用モードは一実施例であり、紙種類、紙サイズなど印刷の属性値を制限するようなコピーのモードであればこの限りではない。
【００６９】
（産業上の利用可能性）
給紙部を複数もち、各々の設定を持つような印刷装置に対して利用可能
【図面の簡単な説明】
【００７０】
【図１】画像処理装置の構成を示す構成図。
【図２】画像処理装置における操作部。
【図３】コピーサイズ、紙種類、印刷品位を設定の一実施例。
【図４】給紙切り換えの１実施例。
【図５】自動連続給紙の設定の１実施例。
【図６】印刷、給紙動作の１実施例。
【図７】自動連続給紙の機能の１実施例。
【符号の説明】
【００７１】
１００  画像処理装置
１０１  ＣＰＵ
１０２  ＲＯＭ
１０３  ＲＡＭ
１０４  画像メモリ
１０５  データ変換部
１０６  読取制御部
１０７  読取部
１０８  操作、表示部
１０９  通信制御部
１１０  解像度変換処理部
１１１  符号復号化処理部
１１２  記録制御部
１１３  記録部
１１４  ＵＳＢホスト制御部
１１５  ＵＳＢファンクション制御部
１１６  記録部信号線制御部
１１７  デジタルカメラ
１１８  メモリカード
１２１  ＣＰＵバス
１３１  通信回線
２０１  ＬＣＤ表示部
２０２  電源キー
２０３  コピーモードキー
２０４  ファックスモードキー
２０５  スキャンモードキー
２０６  フォトモードキー
２０７  メニューキー
２０８  戻るキー
２０９  フォトインデックスシートキー
２１０  マイナスキー
２１１  プラスキー
２１２  セットキー
２１３  電話帳キー
２１４  リダイアルキー
２１５  テンキー群
２１６  ＳＴＯＰキー
２１７  モノクロスタートキー
２１８  カラースタートキー
【図１】
2006062834.tif 000003
【図２】
2006062834.tif 000004
【図３】
2006062834.tif 000005
【図４】
2006062834.tif 000006
【図５】
2006062834.tif 000007
【図６】
2006062834.tif 000008
【図７】
2006062834.tif 000009